(57)【要約】【課題】管体を略垂直に立てて使用した場合であっても、温度差や重力に起因する水銀の偏りを防止または抑制して不点灯、点灯時のちらつきや輝度差、短寿命化を防止できる放電管、光源装置および表示装置を提供すること。【解決手段】内部に水銀が封入される管体１１ａを、その両端近傍どうしを結ぶ直線Ａとは異なる方向に延伸する部分１４，１５を含むように複数の屈曲部および／または湾曲部によってつづら折り形状し、当該部分１４，１５によって温度差や重力による水銀の移動を防止または抑制し、水銀の偏りに起因する放電管１ａの不点灯、点灯時のちらつきや輝度の不均一、短寿命化などを防止または抑制する。【選択図】図２
2007157545.tif 000002
【特許請求の範囲】
【請求項１】
内部に水銀が封入される管体を備える放電管であって、前記管体は両端を結ぶ直線の方向とは異なる方向に延伸する部分を含むことを特徴とする放電管。
【請求項２】
前記管体の両端を結ぶ直線の方向とは異なる方向に延伸する部分は、複数の屈曲部および／または湾曲部によってつづら折り形状に形成されることを特徴とする請求項１に記載の放電管。
【請求項３】
前記管体の両端を結ぶ直線の方向とは異なる方向に延伸する部分は、該管体の両端を結ぶ直線に対して略直角に延伸する部分を含むことを特徴とする請求項１または請求項２に記載の放電管。
【請求項４】
前記管体の両端を結ぶ直線の方向とは異なる方向に延伸する部分は、該管体の両端を結ぶ直線に対して所定の角度をもって傾斜して延伸する部分を含むことを特徴とする請求項１または請求項２に記載の放電管。
【請求項５】
前記管体の両端を結ぶ直線の方向とは異なる方向に延伸する部分は、円弧状に湾曲して形成される部分を含むことを特徴とする請求項１または請求項２に記載の放電管。
【請求項６】
請求項１から請求項５のいずれかに記載の放電管を備えることを特徴とする光源装置。
【請求項７】
請求項１から請求項５のいずれかに記載の放電管と、表示パネルと、を備えることを特徴とする表示装置。
【請求項８】
請求項６に記載の光源装置と、表示パネルと、を備えることを特徴とする表示装置。
【発明の詳細な説明】
【技術分野】
【０００１】
本発明は、放電管、この放電管を用いた光源装置および表示装置に関するものであり、詳しくは表示装置の光源として好適な放電管と、この放電管を用いた光源装置および表示装置に関するものである。
【背景技術】
【０００２】
透過型の液晶表示パネルを備える液晶表示装置などは、一般的に液晶表示パネルの背面側または側面側に光源装置が配設される構成を備える。この光源装置に組み込まれる光源としては、たとえば熱陰極管や冷陰極管などの放電管が広く一般に用いられている。
【０００３】
一般的な放電管は、ガラスなどにより形成される細管状の管体と、この管体の両端近傍などに設けられる一対の電極とを備える。管体の内部には水銀および希ガス類が封入され、管体の内壁面には蛍光体の薄膜が形成される。そして前記一対の電極間の放電により飛び出した電子が水銀に衝突して紫外線が発生し、発生した紫外線が蛍光体を励起して可視光を得るように構成される。
【０００４】
放電管の使用中に管体の温度分布が不均一となると、管体内部に封入された水銀が温度の低い部分に移動することが知られている。このため管体の温度分布が不均一な状態で使用を継続すると、水銀は温度の低い部分に集中して水銀の分布に偏りが生じ得る。また、放電管の管体の両端に位置的な高低差が存すると、水銀は重力によって下端側に移動し、やはり水銀の分布に偏りが生じ得る。
【０００５】
管体の内部で水銀の分布に偏りが生じると、放電管が点灯しなくなることがあるほか、点灯時にちらつきや輝度勾配が生じることがある。また水銀の分布に偏りが生じた状態で使用を継続すると、放電管の寿命が短くなるおそれもある。そこで一般的には、管体の温度分布が不均一にならないような状態で、また管体の両端で位置的な高低差が存しないような状態で使用される。
【０００６】
図４は、光源として直線形状の管体を有する放電管を用いた表示装置の構成の従来例を示した分解斜視図である。この表示装置９は、画像を表示する略長方形の平板状の表示パネル９１と、光源である複数の放電管９２と、これらの部材を保持するシャーシ９３およびその他の所定の部材とを備える。そしてこの表示装置９は、シャーシ９３の前面側に複数の放電管９２が互いに略平行に配置され、さらにその前面側に表示パネル９１が配置されるという構成を備える。
【０００７】
このような表示装置９は、通常は表示パネル９１が横長の向きに配置される状態（すなわち、図中の矢印ａが示す向きを上側または下側に向けた状態）で使用される。放電管９２は表示パネル９１の長辺に略平行に配置されるから、常態においては放電管９２の管体の軸線は略水平方向を向き、管体の両端で高低差が存しない状態になる。
【０００８】
表示装置９の使用時に放電管９２やその他の部材の発熱によって放電管９２が収納されるスペース内部の空気が加熱されると、昇温した空気は上方へ移動し温度の低い空気は下方へ溜まる。このためこのスペースの内部は、上下方向の温度分布は不均一となるが水平方向の温度分布は不均一とはならない。そして各放電管９２はその管体が略水平方向を向いているから、全長に亘って略均一の温度に維持される。また各放電管９２の管体は略水平方向を向いているから、重力による水銀の移動も生じない。したがってこのような構成の表示装置９であれば、表示装置９の使用時に前記のような問題の発生を防止できる。
【０００９】
【特許文献１】特開平９−２７２３７５号公報
【特許文献２】特開平９−３２０５２７号公報
【発明の開示】
【発明が解決しようとする課題】
【００１０】
ところでこのような表示装置９を、表示パネルを縦長に配置して使用したいという要求がある。たとえば広告用の表示装置についてこのような要求が大きい。しかしながら表示パネルを縦長に配置した状態でこの表示装置９を使用すると、次のような問題が生じる。
【００１１】
図４に示すような構成の表示装置９は、表示パネルを縦長に配置すると放電管９２の管体が略垂直方向に立った状態となる。このような状態で使用を継続すると、放電管９２などの発熱により加熱されて昇温した空気は放電管９２の上端側に集まり、温度の低い空気は下端側に溜まる。そして放電管９２の上端側と下端側との間で温度差が生じて水銀は温度の低い下端側に移動する。また、管体が略垂直に立った状態に維持されると、水銀は重力によって管体の下端側に移動する。この結果水銀の偏りが生じ、前記の通り放電管の不点灯、点灯時のちらつきや輝度勾配の発生、短寿命化といった問題が生じ得る。
【００１２】
上記実情に鑑み本発明が解決しようとする課題は、管体が水平方向を向いた状態以外の状態で使用する場合であっても水銀の分布の偏りを防止できる放電管、この放電管を備える光源装置および表示装置を提供すること、または管体が縦長の状態で使用した場合であっても水銀の分布の偏りを防止できる放電管、この放電管を備える光源装置および表示装置を提供することである。
【課題を解決するための手段】
【００１３】
前記課題を解決するため本発明は、内部に水銀が封入される管体を備える放電管であって、前記管体は両端を結ぶ直線の方向とは異なる方向に延伸する部分を含むことを要旨とするものである。
【００１４】
ここで、管体の両端を結ぶ直線の方向とは異なる方向に延伸する部分は、複数の屈曲部および／または湾曲部によってつづら折り形状に形成されることが好ましい。
【００１５】
管体の両端を結ぶ直線の方向とは異なる方向に延伸する部分は、該管体の両端を通過する直線に対して略直角に延伸する部分を含むことが好ましい。また、該管体の両端を結ぶ直線に対して所定の角度をもって傾斜して延伸する部分を含む構成であってもよい。また、円弧状に湾曲して形成される部分を含む構成であってもよい。
【００１６】
本発明の光源装置は、前記放電管を備えることを要旨とする。また本発明の表示装置は、前記放電管または前記放電管を備える表示装置と、表示パネルとを備えることを要旨とする。
【発明の効果】
【００１７】
管体の両端を結ぶ直線の方向と異なる方向に延伸する部分が存在すると、この部分により温度差や重力による水銀の移動が防止または抑制される。したがって、このような部分を備える放電管であれば管体内部での水銀の分布の偏りが防止され、水銀の偏りに起因する不具合、たとえば放電管の不点灯、点灯時のちらつきや輝度の不均一、放電管の短寿命化などを防止することができる。
【００１８】
管体の両端を通過する直線と異なる方向に延伸する部分が、管体に複数の屈曲部および／または湾曲部によってつづら折り形状に形成される構成であれば、水銀の移動を防止または抑制する部分が、管体の複数の箇所に所定の間隔をおいて形成されることになる。したがって、当該つづら折り形状に形成される部分において水銀の移動が防止または抑制され、水銀の分布を均一に保つことができる。
【００１９】
ここで、管体の両端を通過する直線とは異なる方向に延伸する部分に、該管体の両端を通過する直線に対して略直角に延伸する部分が含まれると、当該略直角に延伸する部分を、温度勾配の大きい方向や重力の働く方向に対して略直角方向に向けることができる。この結果、この略直角方向に延伸される部分には温度差がなく、また重力による水銀の移動も生じないから、水銀の分布の偏りをより効果的に防止または抑制できる。
【００２０】
また、該管体の両端を結ぶ線分に対して所定の角度をもって傾斜して延伸する部分や、円弧状に湾曲して形成される部分を含む構成であると、管体の延伸方向と温度勾配または重力が働く方向とがそれぞれ異なる方向に向く。したがって、水銀の移動が防止または抑制できる。
【００２１】
このような放電管を備える光源装置または表示装置によれば、放電管が略垂直に立った状態で使用しても、温度差や重力に起因する水銀の偏りを防止または抑制することができる。このため光源装置または表示装置の使用態様の自由度の向上を図ることができる。
【発明を実施するための最良の形態】
【００２２】
以下に本発明の実施形態について、図面を参照して詳細に説明する。
【００２３】
図１は、本発明の第一実施形態に係る放電管の構成を示した平面模式図である。本発明の第一実施形態に係る放電管１ａは、たとえばガラスなどの透明な材料により形成される管体１１ａと、この管体１１ａの両端近傍に設けられる電極１２とを備える。また各電極１２からはこれらの電極１２に電圧を印加するためのハーネス１３が引き出される。管体１１ａの内部には水銀および希ガス類が封入され、管体１１ａの内壁面には蛍光体の薄膜（図略）が形成される。
【００２４】
図１に示すように、本発明の第一実施形態に係る放電管１ａの管体１１ａは、つづら折り形状に形成される部分を有する。このつづら折り形状に形成される部分は、管体１１ａの両端近傍どうしを結ぶ直線Ａに略平行に延伸する部分１５と、この直線Ａに対して略直角方向に延伸する部分１４とを有し、これらの部分１４，１５が交互に繰り返して連なる構成を備える。
【００２５】
このような構成によれば、管体１１ａの両端で温度差が存在する環境下で使用する場合であっても、次に示す理由によって水銀の移動を防止または抑制でき、水銀の分布を管体１１ａの全長にわたってほぼ均一に維持できる。
【００２６】
管体１１ａの両端を結ぶ直線Ａの延伸方向において温度勾配が存在する環境下においては、この直線Ａに略平行な部分１５の両端では温度差が存する。しかしこの直線Ａの延伸方向に対して直角方向で温度勾配が小さいかまたは存在しなければ、この直線Ａに略直角に延伸する部分１４内においては温度差が小さいかまたは存在しない。
【００２７】
このため、直線Ａに略平行に延伸する部分１５内においては水銀が温度の低い方へ移動しうるが、直線Ａに略直角の方向に延伸する部分１４内においては水銀の移動が生じにくいかまたは生じない。したがって、管体１１ａの両端で温度差が存在する状態であっても、直線Ａに略平行に延伸する部分１５内の水銀が、その前後に連なる直線Ａに略直角に延伸する部分１４を越えて他の直線Ａに略平行に延伸する部分１５にまで移動することは防止または抑制される。管体１１ａを全体としてみると、水銀が温度の高い側の端部から温度の低い側の端部へ移動することが防止または抑制される。この結果、水銀の分布の偏りが発生しないか、または抑制される。
【００２８】
また管体１１ａの内部に封入された水銀は、重力によって下方に移動しようとする。放電管１ａの管体１１ａが略垂直に立った状態、すなわち管体１１ａの両端を結ぶ直線Ａが略垂直方向に立った状態に配置されると、直線Ａに略平行に延伸する部分１５のそれぞれの内部において水銀が下方に移動する。しかしながら直線Ａに略直角に延伸する部分１４はその両端で高低差が存しないから、この部分１４内においては水銀が移動しない。
【００２９】
したがって重力によって直線Ａに略平行な部分の下端に達した水銀が、直線Ａに略直角な部分を越えて下方側の他の直線Ａに略平行な部分にまで移動することが防止または抑制される。この結果管体１１ａの全体としては、水銀が上端側から下端側へ移動することが防止または抑制され、水銀の分布の偏りが防止または抑制される。
【００３０】
次に、放電管の他の実施形態について説明する。図２（ａ）は本発明の第二実施形態に係る放電管の構成を、図２（ｂ）は本発明の第三実施形態に係る放電管の構成を、それぞれ模式的に示した平面図である。
【００３１】
図２（ａ）に示すように第二実施形態に係る放電管１ｂは、連続的に湾曲する形状、換言すると半円が波状に連続する形状の管体１１ｂを有する。そして、管体１１ｂの両端近傍どうしを結ぶ直線と管体１１ｂの軸線Ｂ１とは、所定の間隔をおいて略直角に交差する。
【００３２】
このような構成によれば、管体１１ｂの両端を結ぶ直線Ａに略平行な方向については温度差や位置的な高低差が存在する場合であっても、管体１１ｂの軸線Ｂ１とが管体１１ｂの両端を結ぶ直線Ａの延伸方向と交差する部分およびその近傍においては、管体１１ｂの軸線Ｂ１の方向に温度差や位置的な高低差が存在しない状態となる。したがって、当該部分において水銀の移動が防止または抑制されるから、管体１１ｂの内部に封入される水銀が当該部分を越えて移動することが防止または抑制される。その結果、管体１１ｂの全体としては水銀の分布の偏りを防止または抑制できる。
【００３３】
図２（ｂ）に示す第三実施形態に係る放電管１ｃは、ジグザグ状に屈曲する形状の管体１１ｃを有する。換言するとこの管体１１ｃの軸線は、管体１１ｃの両端近傍を結ぶ直線Ａに対して所定の間隔ごとに所定の角度をもって交差する。
【００３４】
このような構成によれば、管体１１ｃの軸線Ｂ２の方向と管体１１ｃの両端近傍とを結ぶ直線Ａの延伸方向とが互いに異なる。したがって管体１１ｃの両端を結ぶ直線Ａに略平行な方向に温度差や高低差が存在する場合であっても、水銀が移動できる方向（すなわち管体１１ｃの軸線Ｂ２の方向）と、水銀が移動しようとする方向（すなわち温度勾配の大きい方向や重力の働く方向であって、ここでは両端を結ぶ直線Ａの延伸方向）とが互いに異なる。このため管体が直線形状に形成される構成と比較して水銀の移動が抑制される。その結果、管体１１ｃの全体としては水銀の偏りを防止または抑制できる。
【００３５】
次に本発明の各実施形態に係る放電管１ａ，１ｂ，１ｃが適用される光源装置および表示装置について説明する。図３は、本発明の第一実施形態に係る放電管１ａが適用される光源装置および表示装置の構成を模式的に示した分解斜視図である。なお以下説明の便宜上、図２中の上側を光源装置および表示装置の「前面側」と称し、下側を「背面側」と称する。また、ここでは第一実施形態に係る放電管１ａが適用される構成を用いて説明するが、第二または第三実施形態に係る放電管１ｂ，１ｃも同様に適用でき、かつ同様の作用効果を奏する。
【００３６】
光源装置３は、シャーシ３１と、複数の放電管１ａと、これらの放電管１ａが発した光を乱反射させる反射シート３２と、放電管１ａが発した光の特性を調整する光学シート類３４と、光学シート類３４のスペーサなどとして機能するサイドホルダ３３と、光学シート類３４などをシャーシ３１に保持するためなどの機能を有するフレーム３５とを備える。このほかこの光源装置３は、放電管１ａを駆動する光源駆動回路基板３６とこの光源駆動回路基板３６を覆う光源駆動回路基板カバー３７とを備える。
【００３７】
シャーシ３１は略四辺形の平板状の部材であり、たとえば金属の板材をプレス加工するなどして形成される。このシャーシ３１は略長方形に形成される底面を有し、この底面の相対向する長辺の周縁部には、前面側に向かって衝立状に起立する側壁が設けられる。
【００３８】
反射シート３２は、放電管１ａが発した光を乱反射させるシート状または板状の部材である。たとえば発泡ポリエチレンテレフタレート（ＰＥＴ）樹脂などにより形成される。
【００３９】
光学シート類３４は、ここでは放電管１ａが発した光の特性を調整するための板状もしくはシート状の部材またはこれらの部材の集合をいう。具体的にはたとえば、拡散板、レンズシート、偏光反射フィルムなどが含まれる。そして一般的には、これらが積み重ねられて用いられる。
【００４０】
サイドホルダ３３は、光学シート類３４のスペーサなどとして機能する略棒状の部材である。このサイドホルダ３３は、たとえば樹脂材料などから一体に形成される。
【００４１】
フレーム３５は、放電管１ａや光学シート類３４などの部材をシャーシ３１に保持するなどの機能を有する部材である。このフレーム３５はたとえば金属の板材などからなり、プレス加工などを用いて形成される。
【００４２】
光源駆動回路基板３６は、放電管１ａを駆動するための電子回路や電気回路などが構築された回路基板である。
【００４３】
このような部材を備える光源装置３の組み付けは次の通りである。シャーシ３１の前面側に反射シート３２が布設され、その前面側に複数の放電管１ａが互いに略平行に配設される。各放電管１ａはその長手方向がシャーシ３１の長辺に略平行になるように配設される。この状態でサイドホルダ３３がシャーシ３１の短辺の周縁部に装着される。そして光学シート類３４がシャーシ３１の側壁およびサイドホルダ３３の前面側に載置され、その前面側にフレーム３５が装着される。一方、シャーシ３１の背面側には光源駆動回路基板３６および光源駆動回路基板カバー３７が装着される。
【００４４】
表示装置２は、前記光源装置３と、画像を表示する液晶表示モジュール２１と、ベゼル２２と、液晶表示モジュール２１を制御するコントロール回路基板２３と、コントロール回路基板カバー２４とを備える。
【００４５】
液晶表示モジュール２１は、液晶表示パネルとこの液晶表示パネルを駆動するソースドライバやゲートドライバを備え、液晶表示パネルの周縁部にソースドライバまたはゲートドライバが実装された回路基板が装着される構成を有する。液晶表示パネルには、アクティブマトリックスタイプの液晶表示パネルなど、公知の各種液晶表示パネルが適用できる。また、ソースドライバやゲートドライバも、従来一般に用いられるものが適用できる。
【００４６】
ベゼル２２は、液晶表示モジュール２１を光源装置３のフレーム３５に保持するなどの機能を有する部材である。このベゼル２２はたとえば金属の板材などからなり、プレス加工などを用いて形成される。
【００４７】
コントロール回路基板２３は、液晶表示モジュール２１のソースドライバやゲートドライバを制御する信号などを生成する電子回路や電気回路が構築された回路基板である。
【００４８】
このような部材を備える表示装置２の組み付けは次の通りである。光源装置３のフレーム３５の前面側に液晶表示モジュール２１が配設され、その前面側にベゼル２２が装着される。一方、光源装置３の背面側には、コントロール回路基板２３およびコントロール回路基板カバー２４が装着される。
【００４９】
このような構成の表示装置２を使用すると、放電管１ａやその他の部材の発熱によって、放電管１ａが収納されるスペース、すなわちシャーシ３１、サイドホルダ３３および光学シート類３４に囲繞されるスペースの内部の空気が加熱される。ここで、この表示装置２を液晶表示モジュール２１が縦長の向きとなるように配置して使用すると（図中の矢印ｂが指す向きを上側または下側にして配置して使用すると）、加熱された昇温した空気は上昇して各放電管１ａの上端側に移動し、温度の低い空気は各放電管１ａの下端側に溜まる。この結果、各放電管１ａの上端側と下端側とで温度差が生じる。
【００５０】
したがって、一般的な直線状の管体を備える放電管であれば、水銀は温度差にしたがって温度の高い上端側から温度の低い下端側へ移動し、水銀の分布に偏りが生じる。その結果、放電管の不点灯、短寿命化などの問題が生じる。
【００５１】
しかしながら本発明の実施形態に係る放電管１ａによれば、前記の通り垂直方向に延伸する部分では水銀が下方に移動しうるが、その前後に形成される水平な部分を越えて他の垂直な部分にまで移動することは防止または抑制される。したがって管体全体としては、水銀が温度の高い上端側から温度の低い下端側へ移動することが防止または抑制され、水銀の分布の偏りが防止または抑制される。
【００５２】
また管体内部に封入された水銀は、重力によって上端側から下端側に移動しようとするが、水銀が管体の水平な部分を越えて下端側へ移動することは防止または抑制される。したがって管体全体として水銀が下端側に偏ることが防止または抑制される。
【００５３】
このように本発明の実施形態に係る放電管が組み込まれた光源装置３または表示装置２は、放電管１ａを略垂直方向に立てた状態に配置して使用しても、水銀の分布の偏りが防止または抑制でき、水銀の偏りに起因する放電管の不点灯、点灯時におけるちらつきや輝度差の発生、放電管の短寿命化を防止または抑制できる。
【００５４】
したがって、たとえば広告用の表示装置や光源装置など、縦長の画面に画像を表示する用途などに好適に用いることができる。
【００５５】
一方、光源装置または表示装置を横長に配置して使用する場合においても、管体の垂直な部分においては水銀の移動が生じ得るが、水平な部分においては水銀の移動が防止または抑制される。このため光源装置または表示装置を横長に配置して使用しても、水銀の分布の偏りを防止または抑制できるから、水銀の偏りに起因する放電管の不点灯、点灯時におけるちらつきや輝度差、放電管の短寿命化などの問題が生じることはない。したがって、光源装置を縦長の状態に配置しても横長の状態に配置しても使用でき、光源装置または表示装置の使用態様の自由度を向上させることができる。
【００５６】
以上、本発明の実施形態について詳細に説明したが、本発明は、前記実施形態に何ら限定されるものではなく、本発明の趣旨を逸脱しない範囲において種種の改変が可能である。
【００５７】
たとえば、前記実施形態においては、管体の全長にわたってつづら折りに形成される構成を示したが、このような構成に限定されるものではなく、部分的につづら折り形状に形成される構成であってもよい。
【００５８】
また、各部の寸法は適宜変更可能である。たとえば、図１（ａ）に示す放電管の直線Ａに略垂直に延伸する部分と略平行に延伸する部分の寸法比は、実際に適用される光源装置や表示装置の内部温度分布、使用態様（縦長に配置して使用することが多いか、横長に配置して使用することが多いか、など）を考慮して適宜決定される。図１（ｂ）の管体の湾曲部の曲率半径や図１（ｃ）に示す管体の屈曲の角度も同様にして決定される。また、これらの寸法比は管体の全長にわたって均一である必要もない。
【００５９】
また、管体の形状も前記形態に限定されるものではない。たとえば前記形態に示す形状を組み合わせてものであってもよい。要は、管体を略直角に立てた状態において、管体が温度差や重力によって水銀が移動することを防止または抑制できる方向に延伸する部分を含むものであればよい。
【図面の簡単な説明】
【００６０】
【図１】本発明の実施形態に係る放電管の構成を示した部分断面図である。
【図２】本発明の他の実施形態に係る放電管の構成を示した部分断面図であり、（ａ）は管体が湾曲する構成を、（ｂ）は管体が屈曲する構成を示す。
【図３】前記放電管が組み込まれる光源装置および表示装置の構成を模式的に示した分解斜視図である。
【図４】光源装置および表示装置の構成の従来例を模式的に示した分解斜視図である。
【符号の説明】
【００６１】
１  放電管
１１  管体
１２  電極
１３  ハーネス
１４  管体の両端を結ぶ直線に直角に延伸する部分
１５  管体の両端を結ぶ直線に平行に延伸する部分
２  表示装置
２１  液晶表示モジュール
２２  ベゼル
２３  コントロール回路基板
２４  コントロール回路基板カバー
３  光源装置
３１  シャーシ
３２  反射シート
３３  サイドホルダ
３４  光学シート類
３５  フレーム
３６  光源駆動回路基板
３７  光源駆動回路基板カバー
Ａ  管体の両端を結ぶ直線
Ｂ１，Ｂ２  管体の軸線  
【図１】
2007157545.tif 000003
【図２】
2007157545.tif 000004
【図３】
2007157545.tif 000005
【図４】
2007157545.tif 000006